(57)【要約】【課題】画面の横線の高次歪みを補正する。【解決手段】偏向ヨーク６の電子銃側端近傍の位置に、画面上下の垂直軸上における前記一対のサイド電子ビームの中心に対する前記中央電子ビームの垂直軸方向における位置ずれであるＶＣＲを補正する一対のコマコイル８が設けられる。管軸上の垂直偏向磁界の強度の最大値をＨMAX、管軸方向において一対のコマコイル８が配置された位置における管軸上の垂直偏向磁界の強度をＨCとしたとき、ＨC／ＨMAX≧０．８を満足する。【選択図】図２
2007213935.tif 000002
【特許請求の範囲】
【請求項１】
内面に略矩形状の蛍光体スクリーンが形成されたパネルと、前記パネルに接合されたファンネルと、前記ファンネルのネック部内に収納され、中央電子ビームとこの両側の一対のサイド電子ビームとを放出する電子銃と、前記ファンネルの外周上に搭載された偏向ヨークと、前記偏向ヨークの前記電子銃側端近傍の位置に配置され、画面上下の垂直軸上における前記一対のサイド電子ビームの中心に対する前記中央電子ビームの垂直軸方向における位置ずれであるＶＣＲを補正する一対のコマコイルとを備えた陰極線管装置であって、
管軸上の垂直偏向磁界の強度の最大値をＨMAX、管軸方向において前記一対のコマコイルが配置された位置における管軸上の垂直偏向磁界の強度をＨCとしたとき、ＨC／ＨMAX≧０．８を満足することを特徴とする陰極線管装置。
【請求項２】
前記偏向ヨークの前記蛍光体スクリーン側端近傍の、前記蛍光体スクリーンの四隅に対応する４箇所に、画面上の横線の両端を垂直方向の外側に近づける向きに、Ｎ極及びＳ極を有する少なくとも１つのマグネットがそれぞれ配置されている請求項１に記載の陰極線管装置。
【請求項３】
前記偏向ヨークの前記蛍光体スクリーン側端近傍の、前記蛍光体スクリーンの四隅に対応する４箇所に、２つのマグネットがそれぞれ配置されており、
前記２つのマグネットは、そのＮ極及びＳ極が水平軸と平行な一直線上に配置されたマグネット、そのＮ極及びＳ極が管軸と平行な一直線上に配置されたマグネット、及び、そのＮ極及びＳ極が前記偏向ヨークの外周の接線と平行な一直線上に配置されたマグネットからなる群から選ばれた２つである請求項１に記載の陰極線管装置。
【請求項４】
前記偏向ヨークの前記蛍光体スクリーン側端近傍の、前記蛍光体スクリーンの四隅に対応する４箇所に、３つのマグネットがそれぞれ配置されており、
前記３つのマグネットのうちの１つのＮ極及びＳ極は水平軸と平行な一直線上に配置されており、別の１つのマグネットのＮ極及びＳ極は管軸と平行な一直線上に配置されており、残りの１つのマグネットのＮ極及びＳ極は前記偏向ヨークの外周の接線と平行な一直線上に配置されている請求項１に記載の陰極線管装置。
【請求項５】
前記パネルの内面の曲率半径が、前記蛍光体スクリーンが形成された略矩形状の有効領域の中心で７，６００ｍｍ〜１１，１００ｍｍ、前記有効領域の対角軸端で１，４００ｍｍ〜１，７００ｍｍ、前記中心と前記対角軸端との中間位置で２，９００ｍｍ〜３，１００ｍｍである請求項１に記載の陰極線管装置。
【発明の詳細な説明】
【技術分野】
【０００１】
本発明は陰極線管装置に関する。特に、画面の横線の高次歪みが改善されたインライン型カラー陰極線管装置に関する。
【背景技術】
【０００２】
カラー陰極線管装置のパネル外面は、従来の曲面から、最近ではより平坦化されつつある。これに対応して、パネル内面及びシャドウマスクもより平坦化されつつある。シャドウマスクが平坦化されると、シャドウマスクには、熱膨張によるいわゆるドーミングといわれる変形や、落下などの衝撃による変形が生じやすくなる。シャドウマスクが変形すると、電子ビームが蛍光体スクリーン上の所望の蛍光体を射突しなくなり、色むらが発生する。シャドウマスクの変形を防止するためにはシャドウマスクの曲率を大きくすることが有効であり、これに対応して、シャドウマスクと対向するパネルの内面も可能な限り曲率が大きな曲面に設計される。
【０００３】
例えば、蛍光体スクリーン２ａが形成されるパネルの内面を、図１３に示すように、垂直軸（以下、「Ｙ軸」という）方向、水平軸（以下、「Ｘ軸」という）方向、及び対角軸方向の各曲率半径をほぼ同一で且つ大きくした曲面にする方法や、図１４に示すように、Ｘ軸方向の曲率半径をほぼ無限大とし、Ｙ軸方向の曲率半径を、Ｘ軸方向の両端部（即ち、蛍光体スクリーン２ａの短辺）でほぼ無限大とし、これ以外の部分では所定の値とした曲面にする方法が一般的である。
【０００４】
シャドウマスクの曲率を大きくする一方で、これに対向するパネルの内面を複雑な曲面形状とすると、画面の横線の歪み形状も複雑化しやすい。
【０００５】
例えば、図１３のパネルに比べて、図１４のパネルでは、電子ビームが蛍光体スクリーン２ａ上にランディングするＹ軸方向の位置は、Ｙ軸付近では、シャドウマスクとパネル内面との距離が相対的に短いためにＸ軸寄りの位置となり、Ｙ軸と短辺との中間部付近では、シャドウマスクとパネル内面との距離が相対的に長いために蛍光体スクリーン２ａの長辺寄りの位置となり、短辺付近では、シャドウマスクとパネル内面との距離が相対的に短いためにＸ軸寄りの位置となる。この結果、図１５に示すように、パネルの画面２０上のＸ軸及び長辺２０Ｌとのほぼ中間位置において、本来、直線であるべき横線（ラスタ）１００が、そのＹ軸近傍の中央部Ａ及び両端部ＢがＸ軸に近づき、且つこれらの間の中間部ＣがＸ軸から遠ざかるように変形してガルウイング状の高次歪み１０１が発生する。
【０００６】
横線歪みを補正するために、特許文献１には、偏向ヨークの大径側の水平軸近傍の左右端に各３つのマグネットを配置することが記載されている。３つのマグネットのうち、垂直方向において中央に配置されたマグネットは水平方向において電子ビームを画面中央寄りに接近させ、このマグネットを垂直方向に挟むように配置された残りの２つのマグネットは水平方向において電子ビームを画面周辺寄りに接近させる。
【０００７】
しかしながら、この方法では、横線の両端部ＢをＸ軸から遠ざかるように補正することはできるが、横線の中央部ＡをＸ軸から遠ざかるように補正することはできない。また、上記の３つのマグネットにより、画面の縦線（左右のラスタ）の糸巻き状（ピンクッション状）の歪みが大きくなり、これを回路で補正しようとすると回路負担が増大する。
【０００８】
このように、従来の補正方法では、図１５のような横線の高次歪み１０１を良好に補正することはできなかった。
【特許文献１】特開２００３−６８２２９号公報
【発明の開示】
【発明が解決しようとする課題】
【０００９】
本発明は上記の従来の問題点に鑑みてなされたもので、横線の高次歪みが補正された陰極線管装置を提供することを目的とする。
【課題を解決するための手段】
【００１０】
本発明の陰極線管装置は、内面に略矩形状の蛍光体スクリーンが形成されたパネルと、前記パネルに接合されたファンネルと、前記ファンネルのネック部内に収納され、中央電子ビームとこの両側の一対のサイド電子ビームとを放出する電子銃と、前記ファンネルの外周上に搭載された偏向ヨークと、前記偏向ヨークの前記電子銃側端近傍の位置に配置され、画面上下の垂直軸上における前記一対のサイド電子ビームの中心に対する前記中央電子ビームの垂直軸方向における位置ずれであるＶＣＲを補正する一対のコマコイルとを備える。
【００１１】
管軸上の垂直偏向磁界の強度の最大値をＨMAX、管軸方向において前記一対のコマコイルが配置された位置における管軸上の垂直偏向磁界の強度をＨCとしたとき、ＨC／ＨMAX≧０．８を満足することを特徴とする。
【発明の効果】
【００１２】
本発明によれば、主としてパネル内面の形状によって発生する画面の横線の高次歪みを補正して、その直線性を改善することができる。
【発明を実施するための最良の形態】
【００１３】
上記の本発明の陰極線管装置において、前記偏向ヨークの前記蛍光体スクリーン側端近傍の、前記蛍光体スクリーンの四隅に対応する４箇所に、画面上の横線の両端を垂直方向の外側（即ち、画面の長辺）に近づける向きに、Ｎ極及びＳ極を有する少なくとも１つのマグネットがそれぞれ配置されていることが好ましい。
【００１４】
また、前記偏向ヨークの前記蛍光体スクリーン側端近傍の、前記蛍光体スクリーンの四隅に対応する４箇所に、２つのマグネットがそれぞれ配置されていることが好ましい。この場合、前記２つのマグネットは、そのＮ極及びＳ極が水平軸と平行な一直線上に配置されたマグネット、そのＮ極及びＳ極が管軸と平行な一直線上に配置されたマグネット、及び、そのＮ極及びＳ極が前記偏向ヨークの外周の接線と平行な一直線上に配置されたマグネットからなる群から選ばれた２つであることが好ましい。
【００１５】
あるいは、前記偏向ヨークの前記蛍光体スクリーン側端近傍の、前記蛍光体スクリーンの四隅に対応する４箇所に、３つのマグネットがそれぞれ配置されていることが好ましい。この場合、前記３つのマグネットのうちの１つのＮ極及びＳ極は水平軸と平行な一直線上に配置されており、別の１つのマグネットのＮ極及びＳ極は管軸と平行な一直線上に配置されており、残りの１つのマグネットのＮ極及びＳ極は前記偏向ヨークの外周の接線と平行な一直線上に配置されていることが好ましい。
【００１６】
また、前記パネルの内面の曲率半径が、前記蛍光体スクリーンが形成された略矩形状の有効領域の中心で７，６００ｍｍ〜１１，１００ｍｍ、前記有効領域の対角軸端で１，４００ｍｍ〜１，７００ｍｍ、前記中心と前記対角軸端との中間位置で２，９００ｍｍ〜３，１００ｍｍであることが好ましい。
【００１７】
以下、本発明を図を参照して詳しく説明する。
【００１８】
図１は本発明の一実施形態にかかる陰極線管装置の概略構成図である。以下の説明の便宜のために、管軸をＺ軸、水平方向（蛍光体スクリーンの長辺方向）軸をＸ軸、垂直方向（蛍光体スクリーンの短辺方向）軸をＹ軸とする。Ｘ軸とＹ軸とはＺ軸上にて交差する。図１では、Ｚ軸より上側に断面図を、下側に外観図をそれぞれ示している。
【００１９】
陰極線管は、略矩形状のパネル２及び略漏斗形状のファンネル３とからなる外囲器と、ファンネル３のネック部３ａ内に設けられたインライン型の電子銃４とを備える。陰極線管装置１は、この陰極線管と、ファンネル３の外周面に装着された偏向ヨーク６とを備える。パネル２の内面には、青（Ｂ）、緑（Ｇ）、赤（Ｒ）の各蛍光体ドット（又は蛍光体ストライプ）が配列されてなる略矩形状の蛍光体スクリーン２ａが形成されている。蛍光体スクリーン２ａが形成された領域の外面はほぼ平坦であり、内面は所定の曲面（例えば図１４の曲面）に形成されている。蛍光体スクリーン２ａに対向して色選別用のシャドウマスク５がパネル２の内壁面に取り付けられている。シャドウマスク５は、電子ビーム通過孔である略スロット形の開孔がエッチングにより多数形成された金属平板からなる。電子銃４は、中央電子ビームとこの両側の一対のサイド電子ビームとからなる、Ｘ軸と平行な一直線上に並んだ３本の電子ビーム７（３本の電子ビームはＸ軸と平行な一直線上に配列されるため、図では手前の１本の電子ビームのみが示されている。）を蛍光体スクリーン２ａに向かって射出する。電子銃４から射出された３本の電子ビーム７はシャドウマスク７に形成された開孔を通過して所定の蛍光体に射突する。
【００２０】
偏向ヨーク６は、電子銃４から射出される３本の電子ビーム７を水平方向及び垂直方向に偏向し、蛍光体スクリーン２ａ上を走査させる。偏向ヨーク６は、サドル型の水平偏向コイル６１とトロイダル型の垂直偏向コイル６２とフェライトコア６４とを備えている。水平偏向コイル６１と垂直偏向コイル６２との間には、樹脂製の絶縁枠６３が設けられている。絶縁枠６３は、水平偏向コイル６１と垂直偏向コイル６２との間の電気的な絶縁状態を維持する役割を果たしている。
【００２１】
ネック部３ａの外周面上には、画面（即ち、蛍光体スクリーン２ａ）中央における色純度（ピュリティ）及び色ずれ（コンバーゼンス）を調整するためのＣＰＵ（Ｃｏｎｖｅｒｇｅｎｃｅ  ａｎｄ Ｐｕｒｉｔｙ  Ｕｎｉｔ）１０が搭載されている。ＣＰＵ１０は、２極マグネットリング１１、４極マグネットリング１２、及び６極マグネットリング１３よりなる。２極、４極、６極の各マグネットリング１１，１２，１３は、いずれも円環状の２枚の磁石を重ね合わせて構成されている。
【００２２】
図２は、偏向ヨーク６の小径側から見た斜視図である。偏向ヨーク６は、その電子銃側（小径側）端近傍に、主に画面上下のＹ軸上における一対のサイド電子ビームの中心に対する中央電子ビームの垂直軸方向における位置ずれであるＶＣＲを補正するための一対のコマコイル８を備える。本実施形態では、一対のコマコイル８は、Ｚ軸方向において水平偏向コイル６１及び垂直偏向コイル６２よりも電子銃１０側の絶縁枠６３上の位置に、Ｚ軸に対して対称にＸ軸上に配置されている。
【００２３】
更に、偏向ヨーク６は、その蛍光体スクリーン２ａ側（大径側）端近傍に、一対のマグネット９０及び４つの第１マグネット９１を備える。一対のマグネット９０は、Ｚ軸に対して対称にＹ軸上に配置されており、画面の上下の画像歪みを補正する。また、第１マグネット９１は、蛍光体スクリーン２ａの四隅に対応する４箇所に１つずつ配置されている。
【００２４】
本実施形態において図１５に示した横線の高次歪み１０１が補正されるしくみを順序だてて説明する。
【００２５】
第１段階の補正では、図３（Ａ）及び図３（Ｂ）に示すように、コマコイル８を構成する略Ｅ字型コア８０のＸ軸上に沿った中央の足８０ｃの巻線８１のターン数を従来の偏向ヨークに比べて増やす。この巻線８１は垂直偏向コイル６２と直列接続されている。これにより、略斉一の２極磁界８６が強化され、垂直偏向コイル６２による垂直偏向の前段である垂直方向の予備偏向作用が増強される。但し、３電子ビーム７がファンネル３のネック部３ａの内壁に衝突しないように、ネックシャドー裕度（ＢＳＮ）を確保しなければならない。画面の上部（又は下部）に偏向される３電子ビーム７に対する２極磁界８６による予備偏向量は、３電子ビーム７の蛍光体スクリーン２ａ上でのランディング位置がＹ軸付近であるときに最も大きく、Ｙ軸から離れるにしたがって徐々に小さくなる。即ち、第１段階の補正では、Ｙ軸に近いほど垂直偏向に対する補正量が大きい。この結果、図１５に示した高次歪み１０１は、中央部ＡがＸ軸から遠ざかるように補正されて、図４の高次歪み１０２のように変化する。
【００２６】
ところが、この第１段階補正によって、高次歪み１０２において、Ｙ軸方向においてＸ軸から最も遠い中間部Ｃに対する端部ＢのＹ軸方向距離（落ち込み量）ＳBが増大する。また、図５に示すように、画面２０の上下において、中央電子ビームに対応する緑の横線Ｇが、一対のサイド電子ビームに対応する青及び赤の横線Ｂ，Ｒに対してＸ軸寄り（ナロー）にシフトするＶＣＲと呼ばれるミスコンバーゼンスが増大する。
【００２７】
第２段階の補正では、主として、第１段階補正で増大したＶＣＲを補正するために、図３（Ａ）及び図３（Ｂ）に示すように、コマコイル８を構成する略Ｅ字型コア８０のＸ軸に対して両側に配された一対の足８０ｓに巻線８２を設ける。この巻線８２は巻線８１及び垂直偏向コイル６２と直列接続されている。これにより、ピンクッション型の磁界８７が新たに発生される。ピンクッション型の磁界８７は、図６に示すように、垂直偏向に寄与する斉一の２極磁界成分８７ａと、ＶＣＲを補正する６極磁界成分８７ｂとに分解できる。従って、第２段階の補正では、６極磁界成分８７ｂにより、第１段階の補正で増大したＶＣＲを補正することができ、更に、２極磁界成分８７ａにより、垂直方向の予備偏向量を更に大きくして、第１段階の補正により得た図４に示す高次歪み１０２の中央部Ａを更にＸ軸から遠ざかるように補正することができる。
【００２８】
以上の第１段階及び第２段階の補正において、図１５に示した横線の高次歪み１０１の中央部ＡをＸ軸から遠ざかるように適切に補正するためには、一対のコマコイル８による垂直方向の予備偏向量を適切に設定する必要がある。
【００２９】
一般に、Ｚ軸上の垂直偏向磁界強度のＺ軸方向分布は、図７に示すように山形である。Ｚ軸上の垂直偏向磁界強度は、垂直偏向コイル６２のＺ軸方向における中央位置近傍にピーク２７（高さＨMAX）を有し、一対のコマコイル８の位置にて小さな山２８（高さＨC）を有する。本発明では、Ｚ軸上の垂直偏向磁界の強度の最大値をＨMAX、Ｚ軸方向において一対のコマコイル８が配置された位置におけるＺ軸上の垂直偏向磁界の強度をＨCとしたとき、ＨC／ＨMAX≧０．８を満足する。ＨC／ＨMAX≧０．８５を満足することがより好ましい。従来の陰極線管装置では、横線の高次歪みは小さく、一対のコマコイル８の磁界を強める必要はないため、一般にＨC／ＨMAX＜０．７５であった。これに対して、本発明では、横線の高次歪み１０１の中央部ＡをＸ軸から遠ざかるように補正するために、一対のコマコイル８の磁界強度を強める必要がある。比ＨC／ＨMAXの最適値はパネル２の内面形状や陰極線管のサイズなどによって異なるが、本発明者は、一般的にＨC／ＨMAX≧０．８を満足すれば横線の高次歪みを補正する効果が得られることを実験により確認した。
【００３０】
なお、比ＨC／ＨMAXの上限値は特に制限はないが、１以下、更には０．９５以下であることが好ましい。比ＨC／ＨMAXが上記上限値より大きいと、Ｙ軸方向においてＸ軸から最も遠い中間部Ｃに対する横線の両端部Ｂの落ち込み量ＳB（図４参照）が増大したり、ＶＣＲが増大したり、電子ビームがネック部３ａの内壁に衝突したりする場合がある。
【００３１】
以上のように、第１段階及び第２段階の補正により、ＶＣＲ特性を悪化させることなく、図１５に示した横線の高次歪み１０１の中央部ＡをＸ軸から遠ざかるように適切に補正することができる。但し、補正後の横線の両端部Ｂの落ち込み量ＳB（図４参照）が増大して許容範囲を越えた場合、落ち込み量ＳBは以下の第３段階の補正により低減することができる。
【００３２】
落ち込み量ＳB（図４参照）の低減は、垂直偏向コイル６２や一対のコマコイル８が発する垂直偏向磁界の分布を変えることで実現することは困難である。そこで、偏向ヨーク６の大径側端近傍の蛍光体スクリーン２ａの四隅に対応する４箇所に第１マグネット９１をそれぞれ取り付けることにより、落ち込み量ＳBを低減することが好ましい。
【００３３】
第１マグネット９１の作用を説明する。図８（Ａ）は、４つの第１マグネット９１が配置された偏向ヨーク６の大径側から見た正面図である。図８（Ｂ）は、第１象限において、第１マグネット９１によって横線１０２の端部Ｂの落ち込み量ＳBが低減されるしくみを示した図である。図８（Ａ）及び図８（Ｂ）に示すように、各第１マグネット９１は棒状であり、その両端のＮ極及びＳ極がＸ軸と平行な一直線上に配置されるように、偏向ヨーク６の絶縁枠６３に取り付けられる。４つの第１マグネット９１のＮ極及びＳ極の配置は図８（Ａ）に示す通りである。
【００３４】
第１象限においては、図８（Ｂ）に示すように、第１マグネット９１が発する磁力線のうち、Ｓ極に入る磁力線２１は横線１０２の中央部Ａと端部Ｂとの間の中間部ＣをＸ軸に近づくように補正し、Ｎ極から出てＳ極に入る磁力線２２は横線１０２の端部ＢをＸ軸から遠ざかるように補正する。この結果、端部Ｂの落ち込み量ＳBが低減され、横線の直線性が改善される。
【００３５】
第１マグネット９１のＳ極及びＮ極のＸ軸方向における最適位置は、陰極線管のサイズ、画面のアスペクト比、偏向ヨーク６の磁界分布などによって異なる。図８（Ｂ）に示す第１象限においては、第１マグネット９１のＳ極のＸ軸方向における位置は、横線１０２の中間部Ｃを磁力線２１によってＸ軸に近づくように効果的に補正できる位置であれば良い。また、第１マグネット９１のＮ極のＸ軸方向における位置は、横線１０２の端部Ｂを磁力線２２によってＸ軸から遠ざかるように補正し、且つ、第１マグネット９１のＸ軸方向の位置調整の作業性を良好にするためには、絶縁枠６３の外周端縁近傍又はこれより外側にはみ出していることが好ましい。但し、第１マグネット９１のＳ極とＮ極とを結ぶ方向の寸法が長すぎると第１マグネット９１の機械的強度が低下する。
【００３６】
第１象限以外に配置される第１マグネット９１が横線の直線性を改善する作用は図８（Ｂ）と同様である。
【００３７】
陰極線管装置のパネル２の内面形状、陰極線管のサイズ、偏向ヨーク６の磁界分布等によっては、第１マグネット９１のみでは横線１０２の両端部の落ち込み量ＳB（図４参照）を十分に低減することができない場合があるかも知れない。そのような場合には、図９に示すように、第１マグネット９１に加えて、第２マグネット９２及び第３マグネット９３を偏向ヨーク６の絶縁枠６３の大径側端近傍の蛍光体スクリーン２ａの四隅に対応する４箇所にそれぞれ取り付けることが好ましい。
【００３８】
第２マグネット９２の作用を説明する。図１０（Ａ）は、４つの第２マグネット９２が配置された偏向ヨーク６の大径側から見た正面図である。図１０（Ｂ）は、第１象限において、第２マグネット９２によって横線１０２の端部Ｂの落ち込み量ＳBが低減されるしくみを示した図である。図１０（Ａ）及び図１０（Ｂ）に示すように、各第２マグネット９２は棒状であり、その両端のＮ極及びＳ極がＺ軸と平行な一直線上に配置されるように、偏向ヨーク６の絶縁枠６３の外周面に取り付けられる。図１０（Ａ）には、４つの第２マグネット９２のそれぞれの蛍光体スクリーン２ａ側端の磁極が示されている。例えば、第１象限においては、Ｎ極が蛍光体スクリーン２ａ側、Ｓ極が電子銃７側となるように、第２マグネット９２が配置される。
【００３９】
第１象限においては、図１０（Ｂ）に示すように、第２マグネット９２のＮ極から出てＳ極に入る磁力線のうち、第２マグネット９２に対してＹ軸側の磁力線２３が横線１０２の端部ＢをＸ軸から遠ざかるように補正する。この結果、端部Ｂの落ち込み量ＳBが低減され、横線の直線性が改善される。
【００４０】
第１象限以外に配置される第２マグネット９２が横線の直線性を改善する作用は図１０（Ｂ）と同様である。
【００４１】
図１０（Ａ）及び図１０（Ｂ）では、第２マグネット９２は絶縁枠６３の外周面（Ｚ軸と直交する面と略垂直な面）上に取り付けたが、磁極の配置が上記の通りであれば、絶縁枠６３の電子銃７側に向いた面（Ｚ軸と直交する面と略平行であって、第１マグネット９１が取り付けられた面）に取り付けることもできる。
【００４２】
第３マグネット９３の作用を説明する。図１１（Ａ）は、４つの第３マグネット９３が配置された偏向ヨーク６の大径側から見た正面図である。図１１（Ｂ）は、第１象限において、第３マグネット９３によって横線１０２の端部Ｂの落ち込み量ＳBが低減されるしくみを示した図である。図１１（Ａ）及び図１１（Ｂ）に示すように、各第３マグネット９３は棒状であり、その両端のＮ極及びＳ極が、その取付位置における偏向ヨーク６（より正確には絶縁枠６３）の外周の接線と平行な一直線上に配置されるように、偏向ヨーク６の絶縁枠６３の外周面に取り付けられる。４つの第３マグネット９３のＮ極及びＳ極の配置は図１１（Ａ）に示す通りである。
【００４３】
第１象限においては、図１１（Ｂ）に示すように、第３マグネット９３のＮ極から出てＳ極に入る磁力線のうち、第３マグネット９３に対してＺ軸側の磁力線２４が横線１０２の端部ＢをＸ軸から遠ざかるように補正する。この結果、端部Ｂの落ち込み量ＳBが低減され、横線の直線性が改善される。
【００４４】
第１象限以外に配置される第３マグネット９３が横線の直線性を改善する作用は図１１（Ｂ）と同様である。
【００４５】
上記の第３段階の補正では、偏向ヨーク６の絶縁枠６３の大径側端近傍の蛍光体スクリーン２ａの四隅に対応する４箇所に、第１マグネット９１をそれぞれ取り付け、更に必要に応じて第２マグネット９２及び第３マグネット９３を取り付ける例を説明した。しかしながら、本発明はこれに限定されない。例えば、横線の高次歪みの形状などによっては、上記４箇所のそれぞれに、第１マグネット９１，第２マグネット９２，及び第３マグネット９３のうちのいずれか１つ又は２つのみを取り付けても良い。また、同一箇所に、同じマグネットを２以上取り付けても良い。
【００４６】
第１マグネット９１，第２マグネット９２，及び第３マグネット９３の形状は、上記の実施形態のように断面が四角形である形状に限定されず、断面が四角形以外の多角形、円形、楕円形、又は半円形などである形状であっても良い。
【００４７】
また、各象限内での第１マグネット９１，第２マグネット９２，及び第３マグネット９３の相対的位置関係は図９に限定されない。
【００４８】
以上のように、第３段階の補正を行うことにより、Ｙ軸方向における全領域にわたって、横線の高次歪みを補正することができ、横線の直線性が改善される。
【００４９】
但し、横線の高次歪みの形状、パネル２の内面形状、偏向ヨーク６が発する偏向磁界などによっては、第１段階及び第２段階の補正だけで横線の直線性を十分に改善できる場合があり、そのような場合には第３段階の補正を省略することができる。
【実施例】
【００５０】
画面対角サイズが６８ｃｍ、画面アスペクト比が４：３、偏向角が１０４度、パネルの内面の曲率半径が、蛍光体スクリーンが形成された略矩形状の有効領域の中心で１１，０００ｍｍ、有効領域の対角軸端で１，４００ｍｍ、中心と対角軸端との中間位置で３，０００のインライン型カラー陰極線管装置の実施例を示す。
【００５１】
本実施例に係るカラー陰極線管装置の概略構成は図１に示した通りであり、偏向ヨーク６の概略構成は４つの第１マグネット９１が装着されていないことを除いて図２に示した通りであった。コマコイル８を構成する略Ｅ字型コア８０の中央の足８０ｃに巻線８１を３０ターン巻回し、両外側の一対の足８０ｓに巻線８２を１０６ターン巻回した。巻線８１及び巻線８２は垂直偏向コイル６２と直列接続した。
【００５２】
図２に示すように、偏向ヨーク６の蛍光体スクリーン２ａ側（大径側）端近傍に、一対のマグネット９０を装着した。マグネット９０はフェライトを四角柱状に成型したものを用いた。マグネット９０のＮ極及びＳ極を結ぶ方向に沿った寸法は５０ｍｍとした。マグネット９０は、その両端のＮ極及びＳ極がＸ軸と平行な一直線上に配置されるように、偏向ヨーク６の絶縁枠６３に取り付けた。マグネット９０のＮ極及びＳ極の向きは、Ｙ軸上においてマグネット９０とＸ軸との間を通過する電子ビームをマグネット９０の磁界によってマグネット９０に引き寄せるような向きとした。
【００５３】
比較例として、巻線８１を１０ターン巻回し、巻線８２を８１ターン巻回する以外は実施例と同じインライン型カラー陰極線管装置を製作した。
【００５４】
実施例及び比較例の陰極線管装置について、Ｚ軸上の垂直偏向磁界の強度の最大値ＨMAX、Ｚ軸方向において一対のコマコイル８が配置された位置におけるＺ軸上の垂直偏向磁界の強度ＨCを測定し、両者の比ＨC／ＨMAXを求めた。結果を表１に示す。
【００５５】
実施例及び比較例の陰極線管装置について、画面に表示される横線の高次歪み１０３おいて、中央部Ａと端部Ｂとの間の中間部Ｃに対する中央部Ａ及び端部ＢのＹ軸方向距離（落ち込み量）ＳA及びＳB（図１２参照）を測定した。結果を表１に示す。
【００５６】
更に、実施例及び比較例の陰極線管装置について、ＶＣＲのミスコンバーゼンス（図５参照）を測定した。結果を表１に示す。
【００５７】
【表１】
2007213935.tif 000003
【００５８】
表１に示されているように、比較例に比べて、実施例では、ＶＣＲのミスコンバーゼンスを増大させることなく、横線の高次歪みのうち特に中央部Ａの落ち込み量ＳAが改善された。なお、実施例では、比較例に比べて、横線の高次歪みの端部Ｂの落ち込み量ＳBがやや悪化しているが、この程度の横線歪みは十分に許容できる範囲内である。
【００５９】
次に、実施例及び比較例の偏向ヨーク６の蛍光体スクリーン２ａ側（大径側）端近傍に、図２に示すように４つの第１マグネット９１を装着した。第１マグネット９１はフェライトを四角柱状に成型したものを用いた。第１マグネット９１のＮ極及びＳ極を結ぶ方向に沿った寸法は２０ｍｍとした。第１マグネット９１のＮ極及びＳ極の向きは図８（Ａ）に示す通りとした。第１マグネット９１のＸ軸方向における位置は、画面に表示される横線の高次歪みの端部Ｂの落ち込み量ＳBが最小となる位置とした。
【００６０】
第１マグネット９１が装着された実施例及び比較例の陰極線管装置について、画面に表示される横線の高次歪みの中間部Ｃに対する中央部Ａ及び端部Ｂの落ち込み量ＳA及びＳB（図１２参照）、及びＶＣＲのミスコンバーゼンス（図５参照）を測定した。結果を表２に示す。
【００６１】
【表２】
2007213935.tif 000004
【００６２】
表２に示されているように、第１マグネット９１を装着することにより、横線の高次歪みの端部Ｂの落ち込み量ＳBが減少し、実施例では横線の高次歪みが良好に補正され、横線の直線性が改善された。
【産業上の利用可能性】
【００６３】
本発明によれば、パネルの外面の平坦化によって増加する横線の高次歪を低減することができる。従って、本発明の利用分野は特に制限はなく、良好な画像を表示できる陰極線管装置として広く利用することができる。
【図面の簡単な説明】
【００６４】
【図１】図１は、本発明の一実施形態に係る陰極線管装置の概略構成を示す半断面図である。
【図２】図２は、本発明の一実施形態に係る陰極線管装置に搭載される偏向ヨークの概略構成を示す斜視図である。
【図３】図３（Ａ）は、本発明の一実施形態に係る陰極線管装置において、一対のコマコイルが発する磁力線を示した図、図３（Ｂ）は一対のコマコイルの回路図である。
【図４】図４は、本発明の一実施形態に係る陰極線管装置において、一対のコマコイルを構成する各Ｅ字型コアの中央の足の巻線のターン数を増やす第１段階補正によって得られる横線の高次歪みを強調して示した図である。
【図５】図５は、画面上のＶＣＲのミスコンバーゼンスを示した図である。
【図６】図６は、本発明の一実施形態に係る陰極線管装置において、一対のコマコイルが発生するピンクッション型の磁界を２極磁界成分と６極磁界成分とに分解できることを示した図である。
【図７】図７は、本発明の一実施形態に係る陰極線管装置において、管軸上の垂直偏向磁界の強度の管軸方向分布を示した図である。
【図８】図８（Ａ）は、本発明の一実施形態に係る陰極線管装置に搭載される偏向ヨークにおいて、第１マグネットの配置及び磁極を示した正面図、図８（Ｂ）は、第１象限においてこの第１マグネットによって横線の端部の歪みが補正されるしくみを示した図である。
【図９】図９は、本発明の別の実施形態に係る陰極線管装置に搭載される偏向ヨークの概略構成を示す斜視図である。
【図１０】図１０（Ａ）は、本発明の別の実施形態に係る陰極線管装置に搭載される偏向ヨークにおいて、第２マグネットの配置及び磁極を示した正面図、図１０（Ｂ）は、第１象限においてこの第２マグネットによって横線の端部の歪みが補正されるしくみを示した図である。
【図１１】図１１（Ａ）は、本発明の別の実施形態に係る陰極線管装置に搭載される偏向ヨークにおいて、第３マグネットの配置及び磁極を示した正面図、図１１（Ｂ）は、第１象限においてこの第３マグネットによって横線の端部の歪みが補正されるしくみを示した図である。
【図１２】図１２は、画面上に表示される横線の高次歪みの落ち込み量ＳA，ＳBを示した図である。
【図１３】図１３は、従来の陰極線管装置において、蛍光体スクリーンが形成されるパネル内面の曲面形状の一例を示した斜視図である。
【図１４】図１４は、従来の陰極線管装置において、蛍光体スクリーンが形成されるパネル内面の曲面形状の別の例を示した斜視図である。
【図１５】図１５は、従来の陰極線管装置において、画面上に表示される横線の高次歪みを強調して示した図である。
【符号の説明】
【００６５】
１  陰極線管装置
２  パネル
２ａ  蛍光体スクリーン
３  ファンネル
３ａ  ネック部
４  電子銃
５  シャドウマスク
６  偏向ヨーク
７  電子ビーム
８，８’  コマコイル
１０  ＣＰＵ
１１  ２極マグネットリング
１２  ４極マグネットリング
１３  ６極マグネットリング
２０  画面
２１，２２，２３，２４  磁力線
６１  水平偏向コイル
６２  垂直偏向コイル
６３  絶縁枠
６４  フェライトコア
８０  略Ｅ字型コア
８０’  略コ字（又は略Ｕ字）型コア
８０ｃ，８０ｓ  足
８１，８２  巻線
８６  ２極磁界
８７  ピンクッション型磁界
９０  マグネット
９１  第１マグネット
９２  第２マグネット
９３  第３マグネット
１００  横線
１０１，１０２  高次歪み
【図１】
2007213935.tif 000005
【図２】
2007213935.tif 000006
【図３】
2007213935.tif 000007
【図４】
2007213935.tif 000008
【図５】
2007213935.tif 000009
【図６】
2007213935.tif 000010
【図７】
2007213935.tif 000011
【図８】
2007213935.tif 000012
【図９】
2007213935.tif 000013
【図１０】
2007213935.tif 000014
【図１１】
2007213935.tif 000015
【図１２】
2007213935.tif 000016
【図１３】
2007213935.tif 000017
【図１４】
2007213935.tif 000018
【図１５】
2007213935.tif 000019